(57)【要約】      （修正有） 【課題】ノズル部に残留する内容液を吸い戻して、残留する内容液が流出、滴下することを防ぎ、かつ容器本体が予期せず傾いた場合に内容液が漏出することを防ぐポンプディスペンサを提供する。【解決手段】ポンプディスペンサ１０は、ヘッド部１と、連結桿体２と、第１蓋体３と、第２蓋体４と、吸い戻し用弁体５と、弾性体６と、シリンダ体７と、弁体８とを含む。連結桿体２は、中空の管体であって、一端にピストン部２１を具え、他端に第２連結部２２を形成し、内部に収納部２３を具え、収納部２３内にバルブ孔を形成する。連結桿体２は、収納部２３がヘッド部１に形成される第１連結部の内部に連通して収納空間を形成する。収納空間には、栓状の吸い戻し用弁体５を設ける。吸い戻し用弁体５は、外周面に複数の溝５２を軸方向に沿って形成した栓体５１を具える。【選択図】図１
0003197254.tif 000002
【実用新案登録請求の範囲】
【請求項１】
ノズルと、第１連結部とを具え、かつ内壁に第１螺合部を有するとともに、該第１連結部を囲繞し、かつ下方に延伸するネック部を具え、該第１連結部と該ネック部との間に挿入空間を有するヘッド部と、
中空の管体であって、一端にピストン部を具え、他端にはバルブ孔を内部に有する収納部を具える第２連結部を有し、かつ該第２連結部を該ヘッド部の該第１連結部に挿設して連結するとともに、該収納部が該第１連結部の内部に連通して収納空間を形成する連結桿体と、
中空の環状体であって、容器本体に螺着する第１蓋体と、
中空の管体であって、下方に延伸する筒状部にフランジを有してなり、該筒状部内に該連結桿体を挿入し、外周面を該第１蓋体に嵌設するとともに、該フランジの外周面に螺刻して該ヘッド部の該第１螺合部に螺合する第２螺合部を有し、かつ該筒状部に該ヘッド部の該ネック部を嵌挿して該ヘッド部に接続することにより該筒状部が該ヘッド部の挿入空間に連通して収納空間を形成する第２蓋体と、
該連結桿体の収納空間の内部形状に沿った形状で、かつ外周面に内容液の通路となる複数の溝を軸方向に沿って形成した栓体を具え、該連結桿体の収納空間に設ける栓体状の吸い戻し用弁体と、
該筒状部が該ヘッド部の挿入空間に連通して形成される収納部を有し、一端が該第２蓋体の該筒状部の底端部に当接し、他端は該筒状部が該ヘッド部の挿入空間に連通して形成される挿入空間の上端に位置する弾性体と、
シリンダ部と、接続口部と、支持部とを具え、かつチャンバーを有し、該シリンダ部の内壁に該連結桿体のピストン部が接触してピストン運動を可能にし、該接続口部を該シリンダ部の下端に有し、かつ内径は該シリンダ部に比して狭くされるとともに、挿入孔と支持溝との間に内容液進入口とを有してなるシリンダ体と、
該シリンダ体の該内用液進入口に当接する弁体と、を含んでなることを特徴とするポンプディスペンサ。
【請求項２】
前記連結桿体が内部に内容液通路を具えることを特徴とする請求項１に記載のポンプディスペンサ。
【請求項３】
前記第１蓋体の内壁に、該容器本体に螺合する螺合部を有することを特徴とする請求項１に記載のポンプディスペンサ。
【請求項４】
前記ピストン部に、該シリンダ部の内壁に接触する環状当接部を有することを特徴とする請求項１に記載のポンプディスペンサ。
【請求項５】
前記ピストン部の上端に位置制限部を有し、かつ前記第２蓋体４の底端部に当止部を有し、該連結桿体の位置復帰時、該位置制限部は当止部に当接して干渉を受けることを特徴とする請求項１に記載のポンプディスペンサ。
【請求項６】
前記弁体が傘状を呈し、上端の傘状フィルム部と、該傘状フィルム部から下方に延伸する挿入突起部とによってなり、該挿入突起部を該シリンダ部の該挿入孔に挿設して該弁体を該支持部に取り付け、かつ該傘状フィルム部が該シリンダ部の該支持溝上に位置して該内容液進入口に当接し、弾力を以って下方に該内容液進入口を閉鎖し、かつ上方への移動時該内容液進入口を開放して内容液の該チャンバーへの流入を可能にすることを特徴とする請求項１に記載のポンプディスペンサ。
【請求項７】
前記挿入突起部の外周面には、該シリンダ部の該挿入孔に係合する係合部を有することを特徴とする請求項６に記載のポンプディスペンサ。
【請求項８】
前記シリンダ体の上端に該第１蓋体３と該第２蓋体４とを組み立てる連結部を有することを特徴とする請求項１に記載のポンプディスペンサ。
【請求項９】
前記第１蓋体と該容器本体との間に気密を保持するための密封リングを有することを特徴とする請求項１に記載のポンプディスペンサ。
【考案の詳細な説明】
【技術分野】
【０００１】
この考案は、液体を収納した容器に取付けるポンプディスペンサに関し、特に、ノズル部に残留する内容液を吸い戻して漏出、滴下を防ぐ構造を具えたポンプディスペンサに関する。
【背景技術】
【０００２】
例えばボディソープなどの身体洗浄剤、もしくはローションなどの液状の化粧品を収納した瓶、缶などの容器は、日常生活において常用され、その種類も多い。これら容器の多くはポンプディスペンサを着脱自在に設け、容器に収納した液体などの吐出、取出しに供する。
【０００３】
上述するポンプディスペンサは、業界において絶え間なく開発され、改良が加えられてきたが、但し、尚も解決できない問題が存在する。例えば、図８に開示する従来のポンプディスペンサ１００は、プッシュヘッド１０１を具え、外部からの衝撃が加わった場合、もしくは予期せずプッシュヘッド１０１が押し圧された場合、容器本体１０２に収納した内容液が予め漏出することを防ぐために、通常はプッシュヘッド１０１が押下され、容器本体に螺着された状態にある。
【０００４】
但し、プッシュヘッド１０１が押下された状態にあるため、ポンプディスペンサ１００内のシリンダ１０３が開放された状態となり、液体通路１０４も開放された状態にある。このため、容器本体１０２が予期せず傾斜した状態となった場合、容器本体１０２に収納した内容液が液体通路１０４、もしくはその他の隙間から漏出する。
【０００５】
また、従来のポンプディスペンサ１００は、使用時においてプッシュヘッド１０１を押下すると、ノズル部１０５内に液体などが残留し、かつ残留した内容液が漏出し滴下して、外部に流れるという問題を招く。したがって、上述するこれら液体の漏出を如何にして防ぐかが、ポンプディスペンサの改良の課題となっている。
【考案の概要】
【考案が解決しようとする課題】
【０００６】
この考案は、ノズル部に残留する内容液を吸い戻して、残留する内容液が流出、滴下することを防ぎ、かつ容器本体が予期せず傾いた場合に内容液が漏出することを防ぐポンプディスペンサを提供することを課題とする。
【課題を解決するための手段】
【０００７】
そこで、本考案者は液体を収納した容器に取付ける従来のポンプディスペンサに見られる欠点に鑑み鋭意研究を重ねた結果、ヘッド部と、連結桿体と、第１蓋体と、第２蓋体と、吸い戻し用弁体と、弾性体と、シリンダ体と、弁体とを具えてなるポンプディスペンサによって課題を解決できる点に着眼し、係る知見に基づいて本考案を完成させた。
【０００８】
以下この考案について説明する。請求項１に記載するポンプディスペンサは、ノズルと、第１連結部とを具え、かつ内壁に第１螺合部を形成するとともに、該第１連結部を囲繞し、かつ下方に延伸するネック部を具え、該第１連結部と該ネック部との間に挿入空間が形成されるヘッド部と、
中空の管体であって、一端にピストン部を具え、他端にはバルブ孔が内部に形成された収納部を具える第２連結部を形成し、かつ該第２連結部を該ヘッド部の該第１連結部に挿設して連結するとともに、該収納部が該第１連結部の内部に連通して収納空間を形成する連結桿体と、
中空の環状体であって、容器本体に螺着する第１蓋体と、
中空の管体であって、下方に延伸する筒状部にフランジを形成してなり、該筒状部内に該連結桿体を挿入し、外周面を該第１蓋体に嵌設するとともに、該フランジの外周面に螺刻して該ヘッド部の該第１螺合部に螺合する第２螺合部を形成し、かつ該筒状部に該ヘッド部の該ネック部を嵌挿して該ヘッド部に接続して該筒状部が該ヘッド部の挿入空間に連通して収納空間を形成する第２蓋体と、
該連結桿体の収納空間の内部形状に沿った形状で、かつ外周面に内容液の通路となる複数の溝を軸方向に沿って形成した栓体を具え、該連結桿体の収納空間に設ける栓体状の吸い戻し用弁体と、
該筒状部が該ヘッド部の挿入空間に連通して形成される収納部に設け、一端が該第２蓋体の該筒状部の底端部に当接し、他端は該筒状部が該ヘッド部の挿入空間に連通して形成される挿入空間の上端に位置する弾性体と、
シリンダ部と、接続口部と、支持部とを具え、かつチャンバーを形成し、該シリンダ部の内壁に該連結桿体のピストン部が接触してピストン運動を行い、該接続口部が該シリンダ部の下端に形成され、かつ内径を該シリンダ部に比して狭くするとともに、挿入孔と支持溝と該挿入孔と該支持溝との間の内容液進入口とを形成してなるシリンダ体と、
該シリンダ体の該内用液進入口に当接するように設ける弁体と、を含んでなる。
【０００９】
請求項２に記載するポンプディスペンサは、請求項１における連結桿体が内部に内容液通路を具える。
【００１０】
請求項３に記載するポンプディスペンサは、請求項１における前記第１蓋体の内壁に螺刻して、該容器本体に螺合する螺合部を形成する。
【００１１】
請求項４に記載するポンプディスペンサは、請求項１におけるピストン部に、該シリンダ部の内壁に接触する環状当接部を形成する。
【００１２】
請求項５に記載するポンプディスペンサは、請求項１におけるピストン部の上端に位置制限部を形成し、かつ前記第２蓋体４の底端部に当止部を形成し、該連結桿体の位置が復帰する場合に該位置制限部が当止部に当接して干渉を受けるように構成する。
【００１３】
請求項６に記載するプディスペンサは、請求項１における弁体が傘状を呈し、上端の傘状フィルム部と、該傘状フィルム部から下方に延伸する挿入突起部とによってなり、該挿入突起部を該シリンダ部の該挿入孔に挿設して該弁体を該支持部に取り付け、かつ該傘状フィルム部が該シリンダ部の該支持溝上に位置して該内容液進入口に当接し、弾力を以って下方に該内容液進入口を閉鎖し、かつ上方に移動して該内容液進入口を開放して内容液の該チャンバーへの流入に供する。
【００１４】
請求項７に記載するポンプディスペンサは、請求項６における挿入突起部の外周面には、該シリンダ部の該挿入孔に係合する係合部を形成する。
【００１５】
請求項８に記載するポンプディスペンサは、請求項１におけるシリンダ体の上端に該第１蓋体３と該第２蓋体４とを組み立てる連結部を形成する。
【００１６】
請求項９記載するポンプディスペンサは、請求項１における第１蓋体と該容器本体との間に気密を保持するための密封リングを設ける。
【図面の簡単な説明】
【００１７】
【図１】この考案によるポンプディスペンサの構造を示した分解図である。
【図２】図１に開示するポンプディスペンサの構造を示した断面図である。
【図３】この考案におけるヘッド部が押下された状態を示した説明図である。
【図４】この考案におけるヘッド部が本来の位置に回復する状態を示した説明図である。
【図５】この考案におけるヘッド部がロックされた状態を示した説明図である。
【図６】の考案によるポンプディスペンサにおいて残留する内容液を吸い戻す動作を示した説明図である。
【図７】この考案におけるシリンダ体の局部拡大説明図である。
【図８】従来のポンプディスペンサの説明図である。
【考案を実施するための形態】
【００１８】
この考案は、ノズル部に残留する内容液を吸い戻して、残留する内容液が流出、滴下することを防ぎ、かつ容器本体が予期せず傾いた場合に内容液が漏出することを防ぐポンプディスペンサを提供するものであって、ヘッド部と、連結桿体と、第１蓋体と、第２蓋体と、吸い戻し用弁体と、弾性体と、シリンダ体と、弁体とを具えてなる。係るポンプディスペンサの構造と特徴を説明するために、具体的な実施例を挙げ、図面を参照にして以下に詳述する。
【実施例】
【００１９】
図１に開示するように、この考案によるポンプディスペンサ１０は、ヘッド部１と、連結桿体２と、第１蓋体３と、第２蓋体４と、吸い戻し用弁体５と、弾性体６と、シリンダ体７と、弁体８とを含んでなる。
【００２０】
図１、２に開示するように、ヘッド部１は、ノズル１１と、第１連結部１３と、ヘッド部１の内壁に形成する第１螺合部１４と、第１連結部１３を囲繞し、かつ下方に延伸するネック部１２と、第１連結部１３とネック部１２との間に形成される挿入空間１５とを具えてなる。
【００２１】
連結桿体２は、中空の管体であって、一端にピストン部２１を具える。ピストン部２１は一端に環状当接部２１１を形成し、他端に第２連結部２２を形成する。第２連結部２２は内部に収納部２３を具え、収納部２３内にバルブ孔２４を形成する。
【００２２】
連結桿体２は、第２連結部２２を第１連結部１３に挿設してヘッド部１と連結し、かつ収納部２３が第１連結部１３の内部に連通して収納空間９１を形成する。
【００２３】
第１蓋体３は中空の環状体であって、例えば図３に開示する容器本体２０に螺着する。第２蓋体４は中空の管体であって、下方に延伸する筒状部４１にフランジを形成してなり、筒状部４１内に連結桿体２を挿入し、かつ外周面を第１蓋体３に嵌設するとともに、該フランジの外周面に螺刻して、ヘッド部１の第１螺合部１４に螺合する第２螺合部４２を形成する。
【００２４】
また、  第２蓋体４は、筒状部４１にヘッド部１のネック部１２を嵌挿し、かつ第２螺合部４２を第１螺合部１４に螺合してヘッド部１に接続するとともに、筒状部４１に連結桿体２を嵌挿し、さらに第１蓋体３に嵌挿する。よって、筒状部４１がヘッド部１の挿入空間１５に連通して収納空間９２を形成し、かつ第２蓋体４の内壁が連結桿体２の外周面に接する。
【００２５】
収納空間９１には、栓状の吸い戻し用弁体５を設ける。吸い戻し用弁体５は、外周面に複数の溝５２を軸方向に沿って形成した栓体５１を具え、また栓体５１は収納部２３の内部形状に沿った形状とし、バルブ孔２４に当接する。溝５２は容器本体２０に収納した内容液の通路となる。
【００２６】
弾性体６は、収納空間９２に設け、一端が第２蓋体４の筒状部４１の底端部に当接し、他端が挿入空間１５の上端に位置する。
【００２７】
シリン体７は、第１蓋体３に連結し、かつ第２蓋体４に接続する。またシリンダ体７は、シリンダ部７１と、接続口部７２と、支持部７３とを具え、シリンダ部７１の内壁にはピストン部２１の環状当接部２１１が接触してピストン運動が進行する。さらに、シリンダ体７にはチャンバー７４を形成する。
【００２８】
接続口部７２は、シリンダ部７１の下端に形成し、内径をシリンダ部７１に比して狭くする。支持部７３は接続口部７２の上端開口部に形成し、かつ図７に開示するように、挿入孔７３１と、支持溝７３２とを形成するとともに、挿入孔７３１と支持溝７３２との間に内容液進入口７３３を形成する。
【００２９】
図７、及び図１、２に開示するように、弁体８は傘状を呈し、上端の傘状フィルム部８１と、傘状フィルム部８１から下方に延伸する挿入突起部８２とによってなり、挿入突起部８２を挿入孔７３１に挿設して弁体８を支持部７３に取り付ける。傘状フィルム部８１は支持溝７３２上に位置し、内容液進入口７３３に当接して、弾力を以って下方に内容液進入口７３３を閉鎖し、かつ上方に移動して内容液進入口７３３を開放して内容液のチャンバー７４への流入に供する。
【００３０】
また、図１から図３に開示するように、連結桿体２は、内部に内容液通路２５を具える。
【００３１】
第１蓋体３は内壁に螺刻して、容器本体２０に螺合する螺合部３１を形成する。
【００３２】
ピストン部２１の上端には位置制限部２６を形成し、第２蓋体４の底端部に当止部４３を形成する。よって、連結桿体２の位置が復帰する場合、位置制限部２６が当止部４３に当接して干渉を受ける。
【００３３】
挿入突起部８２の外周面には、挿入孔７３１に係合する係合部８２１を形成し、シリンダ体７の上端には第１蓋体３と第２蓋体４と組み立てる連結部７５を形成するとともに、第１蓋体３と容器本体２０との間には気密を保持するための密封リング３２を設ける。
【００３４】
図３に、この考案によるポンプディスペンサの動作を開示する。図面に開示するように、ある程度の力を加えてヘッド部１を押下し、Ｓ１の範囲まで下方に運動させると、ヘッド部１は連結桿体２を連動させて下方に至らせる。この場合、連結桿体２のピストン部２１が下方に移動することから、シリンダ部７１のチャンバー７４の空間を圧縮し、圧力の関係で弁体８の傘状フィルム部８１が下方に向かって内容液進入口７３３を閉鎖する。このため、チャンバー７４内の内容液が連結桿体２の内容液通路２５に流入し、さらに吸い戻し用弁体５を押し開きバルブ孔２４からノズル１１に流動して、最終的にヘッド部１のノズル１１から吐出する。
【００３５】
図３、４に開示するように、ヘッド部１を押し圧する力を開放すると、弾性体６の付勢力によってヘッド部１が連結桿体２を連動させて上方に移動する、このため、チャンバー７４の空間が増大する。このため、吸い戻し用弁体５が真空吸引の作用によって下方に吸引されてバルブ孔２４を閉鎖する。同時に、容器本体２０の内容液が真空吸引の作用を受けて接続口部７２から流入し、弁体８の傘状フィルム部８１を押し開き、連結桿体２の位置制限部２６が第２蓋体４の当止部４３に当接して互いに干渉して次のヘッド部１の押し圧に備える状態が回復するに至るまで内容液進入口７３３からチャンバー７４に流入する。
【００３６】
図４、５に開示するように、ヘッド部１を押下し、かつＳ２の位置まで回転させると、ヘッド部１の第１螺合部１４に第２蓋体４の第２螺合部４２が螺合して傘状フィルム部８１が連結桿体２のピストン部２１の下縁部の押し圧を受けて密封状態を形成する。よって、内容液を収納した容器本体２０を運送する過程において予期せず容器本体２０が傾いても、ポンプディスペンサ１０が密封状態になっているため、内容液が内容液通路２５、もしくはバルブ孔２４から滲み出ることがない。このため、従来の技術に見られる容器本体から内容液が漏出するという問題を効率よく解決することができる。
【００３７】
図６に開示するように、ヘッド部１を押し圧する力を開放すると、弾性体６の付勢力によってヘッド部１が連結桿体２を連動させて上方に移動する、このため、チャンバー７４の空間が増大する。この場合、ヘッド部１がＳ１の範囲で移動する過程において吸い戻し用弁体５がシリンダ体７の真空吸引を受けて下方に向かってバルブ孔２４を閉鎖する。同時に一部のノズル１１に残留した内容液を吸い戻す。よって、ノズル１１に残留した内容液が流れ出て滴下するという問題を効率よく防ぐことができる。
【００３８】
以上はこの考案の好ましい実施の形態であって、この考案の実施の範囲を限定するものではない。よって、当業者の成し得る修正、もしくは変更であって。この考案の精神の下においてなされ、かつこの考案に対して均等の効果を有するものは、いずれもこの考案の実用新案登録請求の範囲に含まれるものとする。
【符号の説明】
【００３９】
１           ヘッド部
１０         ポンプディスペンサ
１００       ポンプディスペンサ
１０１       プッシュヘッド
１０２       容器本体
１０３       シリンダ
１０４       液体通路
１０５       ノズル部
１１         ノズル
１２         ネック部
１３         第１連結部
１４         第１螺合部
１５         挿入空間
２           桿体
２０         容器本体
２１         ピストン部
２１１       環状当接部
２２         第２連結部
２３         収納部
２４         バルブ孔
２５         内容液通路
２６         位置制限部
３           第１蓋体
３１         螺合部
３２         密封リング
４           第２蓋体
４１         筒状部
４２         第２螺合部
４３         当止部
５           吸い戻し用弁体
５１         栓体
５２         溝
６           弾性体
７           シリンダ体
７１         シリンダ部
７２         接続口部
７３         支持部
７３１       挿入孔
７３２       支持溝
７３３       内容液進入口
７４         チャンバー
７５         連結部
８           弁体
８１         傘状フィルム部
８２         挿入突起部
８２１       係合部
９１         収納空間
９２         収納空間
【図１】
0003197254.tif 000003
【図２】
0003197254.tif 000004
【図３】
0003197254.tif 000005
【図４】
0003197254.tif 000006
【図５】
0003197254.tif 000007
【図６】
0003197254.tif 000008
【図７】
0003197254.tif 000009
【図８】
0003197254.tif 000010